(57)【特許請求の範囲】
【請求項１】
ロール紙載置台の裏面にキャスターを備えるとともに、前記ロール紙載置台上にハンドルを立設してなるロール紙台車であって、ロール紙載置台上に上方に向け、先端部とこの先端部より大きい外径をもつ基部を有する突起を突設し、また、この突起に対応位置するロール紙載置台の裏面に前記突起と同一の突起の先端部と嵌合し得るよう形成した凹部を設け、前記突起にハンドルを起伏可能に枢着する一方、突起の前記基部は伏せた状態の前記ハンドルより上方に突出するよう構成したことを特徴とするロール紙台車。
【発明の詳細な説明】
【０００１】
【発明の属する技術分野】
本発明は、ロール紙にプリントや切断等の処理を施す用紙処理装置における給紙部に、ロール紙を運搬してセットするためのロール紙台車に関する。
【０００２】
【従来の技術】
従来のロール紙台車には、ロール紙を立てた状態で載置するようなしたロール紙載置台の裏面にキャスターを備えるとともに、前記ロール紙載置台上にハンドルを立設してなるものがあった。その使用にあたっては、ロール紙を載せたロール紙台車を用紙処理装置の設置場所に移動し、該ロール紙を給紙部にセットし、空になったロール紙台車は、用紙処理装置近傍に順次積み重ねておき、返却時には、各ロール紙台車のハンドルを紐で括り、手で押して所定の返却場所に移動していた。
【０００３】
【発明が解決しようとする課題】
上記従来のロール紙台車は、返却にあたって、積み重ねた後に複数のハンドルを紐で括るという前記作業が面倒なだけでなく、ハンドルがじゃまになり一度に積み上げ得る台数、すなわち一度に返却できる台数が少ないとともに、保管時に広い面積を必要とするという問題があった。
【０００４】
本発明は、このような事情に鑑みてなされたもので、返却作業が容易で、多数台を積み上げての返却が可能なロール紙台車を提供することを目的とする。
【０００５】
【課題を解決するための手段】
前記目的を達成するために、請求項１に記載された発明は、ロール紙載置台の裏面にキャスターを備えるとともに、前記ロール紙載置台上にハンドルを立設してなるロール紙台車であって、ロール紙載置台上に上方に向け、先端部とこの先端部より大きい外径をもつ基部を有する突起を突設し、また、この突起に対応位置するロール紙載置台の裏面に前記突起と同一の突起の先端部と嵌合し得るよう形成した凹部を設け、前記突起にハンドルを起伏可能に枢着する一方、突起の前記基部は伏せた状態の前記ハンドルより上方に突出するよう構成したものである。
【０００６】
【発明の実施の形態】
以下に、本発明の好適な実施の形態を添付図面の図１〜図３に基づいて詳細に説明する。ここにおいて、図１は一部を縦断した部分側面図、図２はハンドルを伏せて積み重ねた状態を示す一部を縦断した部分側面図、図３はハンドルを伏せた状態の拡大部分斜視図である。
【０００７】
図１及び図２に示すように、ロール紙台車５１は、ロール紙ａを載置するロール紙載置台５２の裏面に４つのキャスター５３・・・を備えるとともに、該ロール紙載置台５２上にほぼ倒Ｕ字状のハンドル５４を折り畳み可能に立設してなるものである。
【０００８】
図１〜図３に示すように、前記ロール紙載置台５２上の一端側の各隅部近傍には、一対の突起５５，５５を上方に向けて突設する一方、この突起５５，５５に対応するロール紙載置台５２裏面に、該突起５５，５５の円柱状の先端部５５ａ，５５ａが嵌合し得るよう形成した凹部５６，５６を設ける。前記突起５５は、それぞれ前記先端部５５ａと、この先端部５５ａより若干大きい外径をもつ円柱の両側を平面状のカット面５７，５７にカットした形状を有する基部５５ｂと、該基部５５ｂに下から順次嵌めたスプリング５８及び昇降可能な昇降リング５９とから成る。この昇降リング５９はスプリング５８の弾発力によって上昇するように付勢されており、また、この昇降リング５９と前記カット面５７，５７間にはスリット６０，６０（図３では一方のみ図示）が形成される。さらに、基部５５ｂは、少なくともロール紙載置台５２裏面とキャスター５３下端間の距離より長く形成する。このように基部５５ｂの長さを設定するのは、ロール紙台車５１，５１を重ねたときに下側のロール紙台車５１の突起５５の先端部５５ａを、上側のロール紙台車５１の凹部５６に根元まで確実に嵌合させるためである。
【０００９】
図１〜図３に明示したように、前記ハンドル５４の下端部分は、円柱端部の中央を切り欠いて二股状に延ばした形状を有し、突起５５の基部５５ａのカット面５７，５７に各内面が当接し得る脚６１，６１を形成し、この脚６１，６１を、前記カット面５７，５７を貫通する回転軸６２に枢着してある。また、前記脚６１，６１の各横断面形状は、前記スリット６０，６０の各横断面形状と同じに形成されていて、脚６１，６１はスリット６０，６０に挿出入可能である。よって、図１において、昇降リング５９をスプリング５８の弾発付勢力に抗して押し下げ、ハンドル５４を起立させたところで、昇降リング５９を離すとスプリング５８の弾発付勢力によって、昇降リング５９が、スリット６０，６０に脚６１，６１の先端が挿入する状態で上昇し、脚６１，６１の先端が昇降リング５９に囲まれた状態となり、ハンドル５４が起立状態に保持されるのである。なお、ハンドル５４を伏せるには、昇降リング５９を押し下げて倒せばよい。そして、このハンドル５４を伏せた状態にあっては、突起５５の前記基部５５ｂの先端部分はハンドル５４より上方に突出している。また、前記脚６１外面に設けたストッパー６３は、ハンドル５４の起立状態において、昇降リング５９が必要以上に上昇することを防ぐためのものである。
【００１０】
前記ロール紙載置台５２上には、ロール紙ａを立てた状態で載置し得るよう窪み（図示せず）を設けるとともに、ロール紙ａを固定するための固定紐６４の端部を固定部６５に固定し得るように構成してある。
【００１１】
次に、前記ロール紙台車５１の使用方法を説明する。先ず、ハンドル５４を起立状態にするとともに、ロール紙ａを立てた状態で下端部分を窪みに嵌めるようにしてロール紙載置台５２に載せ、２本の固定紐６４（一方のみ図示）をロール紙ａの巻き芯ｂに通し、固定部６５（１つのみ図示）に固定してから、このロール紙台車５１を用紙処理装置の設置場所に移動し、ロール紙ａを給紙部にセットする。続いて、昇降リング５９，５９をスプリング５８の弾発付勢力に抗して押し下げ、ハンドル５４を倒して伏せた状態にした後、ロール紙載置台５２裏面の凹部５６，５６を、同様の手順で先にハンドル５４を伏せておいたロール紙台車５１の突起５５、５５の先端部５５ａ，５５ａに嵌合させつつ積み重ねる。このようにして順次積み重ねた複数のロール紙台車５１・・・は、返却時に、そのまま手で押して所定の返却場所に移動する。
【００１２】
【発明の効果】
以上のように、請求項１に記載された本発明は、安定した状態で多数積み重ねて移動可能なので、使用後の返却作業が容易であるだけでなく、ハンドルがじゃまにならないので、積み重ねる台数を多くすることが可能であり、突起の基部は伏せた状態のハンドルより上方に突出しているので、ロール紙台車を重ねたときに下側のロール紙台車の突起の先端部を、上側のロール紙台車の凹部の根元まで確実に嵌合させることができるとともに、ハンドルを分離する必要がないので、ハンドルの置き場所を確保したり、運搬を別途行う必要がないという効果を奏する。
【図面の簡単な説明】
【図１】  一部を縦断した部分側面図。
【図２】  ハンドルを伏せて積み重ねた状態を示す一部を縦断した部分側面図。
【図３】  ハンドルを伏せた状態の拡大部分斜視図。
【符号の説明】
５１  ロール紙台車
５２  ロール紙載置台
５３  キャスター
５４  ハンドル
５５  突起
５５ａ  先端部
５５ｂ  基部
５６  凹部
５８  スプリング
５９  昇降リング
６０  スリット
６１  脚
【図１】
0003818729.tif 000002
【図２】
0003818729.tif 000003
【図３】
0003818729.tif 000004